(57)【特許請求の範囲】
【請求項１】
第１電極及び酵素が固定化された第２電極を有するセンサを用いて、前記第１電極と前記第２電極との間に電圧を印加したときの応答電流に基づいて基質濃度を連続測定する方法であって、
基質に起因する応答電流が得られる応答電圧を印加する応答電圧印加ステップと、
基質に起因する応答電流が全くあるいは実質的に得られない非応答電圧を印加する非応答電圧印加ステップと、
を含み、
前記応答電圧印加ステップにおいて得られる応答電流と、前記非応答電圧印加ステップにおいて得られる応答電流と、の差分に基づいて基質濃度の演算を行なうことを特徴とする、基質濃度の連続測定方法。
【請求項２】
前記応答電圧印加ステップと前記非応答電圧印加ステップとを交互に繰り返し行なう、請求項１に記載の基質濃度の連続測定方法。
【請求項３】
前記非応答電圧は、前記第１電極と前記第２電極との間に印加する電圧を大きくしていったときに、前記基質に起因する応答電流が得られ始める印加電圧に対して、±０．５Ｖの範囲において設定される、請求項１または２に記載の基質濃度の連続測定方法。
【請求項４】
前記応答電圧印加ステップと前記非応答電圧印加ステップとを交互に所定数行った後に、前記非応答電圧よりも絶対値において小さい電圧を印加する待機ステップを含んでいる、請求項１ないし３のいずれか一項に記載の基質濃度の連続測定方法。
【請求項５】
前記応答電圧印加ステップと前記非応答電圧印加ステップとを交互に所定数行った後に、前記センサを含む回路を開回路とする待機ステップを含んでいる、請求項１ないし４のいずれか一項に記載の基質濃度の連続測定方法。
【請求項６】
前記センサは、体内に植え込んで使用するものである、請求項１ないし５のいずれか一項に記載の基質濃度の連続測定方法。
【請求項７】
前記基質はグルコースであり、
前記センサはグルコースセンサである、請求項１ないし６のいずれか一項に記載の基質濃度の連続測定方法。
【請求項８】
前記第２電極は、グルコース酸化還元酵素が固定化された電極である、請求項７に記載の基質濃度の連続測定方法。
【発明の詳細な説明】
【技術分野】
【０００１】
本発明は、グルコースなどの基質濃度を連続測定する方法に関する。本発明は特に、体内に植え込んだグルコースセンサを利用して血糖値を連続測定する方法に関する。
【背景技術】
【０００２】
血糖値の測定方法としては、例えば人体の腹部や腕部などに植え込んだグルコースセンサを利用して、間質液中のグルコース濃度を連続測定する方法がある。測定原理としては、主に電気化学法が採用されている。この場合のグルコースセンサは、少なくとも作用極および対極を有するものとされる。作用極には、例えばグルコースオキシダーゼ（ＧＯＤ）が固定化されている。グルコース濃度は、作用極と対極との間に、０．３〜０．６Ｖ程度の定電圧を連続的に印加する一方で（図１２（ａ）参照）、そのときに得られる応答電流（図１２（ｂ）参照）に基づいて連続測定される。
【０００３】
応答電流値は、たとえばＧＯＤの触媒反応により発生した過酸化水素を、電気化学的に酸化することにより（たとえば特許文献１，２）、あるいはＧＯＤを介してグルコースから取り出した電子を、Ｏｓポリマーをメディエータとして利用して得ることができる（たとえば特許文献３参照）。
【０００４】
一方、グルコース濃度の演算は、連続的に得られる応答電流値から定期的に電流をサンプリングし、サンプリング電流に基づいて行なわれる。
【０００５】
しかしながら、応答電流には、間質液中のアスコルビン酸などの共存物質、あるいは電磁ノイズなどの外界環境によるバックグランド成分が含まれている。そのため、たとえば測定データが上昇傾向（あるいは下降傾向）にあったとしても、それが、グルコース濃度の上昇（あるいは下降）によるものなのか、バッググランド成分の上昇（あるいは下降）によるものなのかは、応答電流からは厳密に区別することは困難である。そのため、バックグランド成分の影響を受けやすい環境下では、グルコースセンサから得られる応答電流のシグナルの精度が悪化してしまう。
【０００６】
また、作用極に固定化されたグルコース酸化還元酵素は、電圧の印加によってタンパクの変性を引き起こし、結果としてセンサの安定性が下がることがわかっている。このような安定性の低下は、図１３においてグルコース酸化還元酵素としてＧＤＨを用いた場合の残存活性を例示したように、電圧の大きさおよび電圧の印加時間に依存することがわかっている。すなわち、ＧＤＨなどのグルコース酸化還元酵素の安定性は、印加される電圧が大きいほど、あるいは電圧印加時間が長いほど低下する傾向にある。
【先行技術文献】
【特許文献】
【０００７】
【特許文献１】特表２００７−５１６８１４号公報
【特許文献２】特表２００７−５３５９９１号公報
【特許文献３】特表平１０−５０５４２１号公報
【発明の概要】
【発明が解決しようとする課題】
【０００８】
本発明は、グルコースなどの基質の連続測定において、測定精度および測定に使用されるセンサの安定性を向上させることを課題としている。
【課題を解決するための手段】
【０００９】
本発明は、基質に電圧を印加したときの応答に基づいて基質濃度を連続測定する方法であって、基質に起因する応答が得られる応答電圧を印加する応答電圧印加ステップと、基質に起因する応答が全くあるいは実質的に得られない非応答電圧を印加する非応答電圧印加ステップと、を含んでいることを特徴とする、基質の連続測定方法である。
【００１０】
好ましくは、前記応答電圧印加ステップと前記非応答電圧印加ステップとは、交互に繰り返し行なわれる。前記応答電圧印加ステップおよび前記非応答電圧印加ステップのそれぞれは、必ずしも定電圧の単一のパルスを印加することにより行なう必要はなく、たとえば電位の異なる複数の定電圧のパルスが組み合わさった階段状のパルスを印加することにより行なってもよい。
【００１１】
本発明では、たとえば前記応答電圧印加ステップにおいて得られる応答と、前記非応答電圧印加ステップにおいて得られる応答と、の差分に基づいて基質の演算を行なう。この場合、前記非応答電圧印加ステップにおける印加電圧は、前記センサに印加する電圧を大きくしていったときに、前記基質に起因する応答が得られ始める印加電圧（反応電位）に対して、±０．５Ｖの範囲、好ましくは±２５ｍＶの範囲において設定される。
【００１２】
本発明は、前記応答電圧印加ステップと前記非応答電圧印加ステップとを交互に所定数行った後に、前記非応答電圧よりも絶対値において小さい電圧を印加する待機ステップを含んでいてもよい。前記待機ステップは、前記センサを含む回路を開回路とすることにより行うようにしてもよい。
【００１３】
前記センサは、たとえば体内に植え込んで使用するものである。前記センサは、酵素が固定化された電極を含んでいてもよい。もちろん、本発明は、体外に取り出した血液や間質液中のグルコースなどの基質濃度を測定する場合、血液や間質液以外の基質含有液、あるいは人体外の液体中の基質を測定する場合に適用することができる。
【００１４】
前記基質は、たとえばグルコースであり、前記センサは、たとえばグルコースセンサである。前記グルコースセンサは、グルコース酸化還元酵素が固定化された電極を含んでいてもよい。
【図面の簡単な説明】
【００１５】
【図１】グルコースの連続測定方法を実施するためのグルコース連続測定装置の一例を示す断面図である。
【図２】図１に示したグルコース連続測定装置におけるグルコースセンサを、要部拡大図とともに示した全体斜視図である。
【図３】図１に示したグルコース連続測定装置の概略構成を示すブロック図である。
【図４】図２に示したグルコースセンサに対する電圧印加パターンの一例を説明するためのグラフである。
【図５】図４に示したパターンで電圧を印加したときの応答電流の一例を示すグラフである。
【図６】複数のグルコース濃度に対するボルタンメトリーの測定結果を同時に示すグラフである。
【図７】１ステップ中での反応電圧および非反応電圧の印加パルスの他の例を説明するためのグラフである。
【図８】実施例１におけるボルタンメトリーの測定結果を示すグラフである。
【図９】図９（ａ）および図９（ｂ）は実施例１における応答電流の経時的変化の測定結果を示すグラフである。
【図１０】実施例１における応答特性の測定結果を示すグラフである。
【図１１】実施例２における安定性の評価結果を示すグラフである。
【図１２】図１２（ａ）は従来におけるグルコースセンサに対する電圧印加のパターンを示すグラフであり、図１２（ｂ）は図１２（ａ）に示した電圧印加に対する応答電流の一例を示すグラフである。
【図１３】従来における酵素の残存活性の経時変化を示すグラフである。
【図１４】図７（ａ）に示す階段状のパルス電圧を、酵素固定化電極に繰り返し印加した場合についての電流密度の変化を示すグラフである。
【図１５】電流密度と、グルコース濃度との関係を示すグラフである。
【図１６】酵素固定化電極にパルス電圧を繰り返し印加した場合における応答電流の測定結果を示すグラフである。
【図１７】酵素固定化電極に６００ｍＶの定電圧を連続して印加した場合における応答電流の測定結果を示すグラフである。
【図１８】実施例４における安定性の評価結果を示すグラフである。
【図１９】酵素固定化電極に定電圧を連続して印加した場合において、グルコース濃度を増加したときの応答電流値の変化を示すグラフである。
【図２０】酵素固定化電極にパルス電圧を繰り返し印加した場合において、グルコース濃度を増加したときの応答電流の変化を示すグラフである。
【図２１】酵素固定化電極に定電圧を連続して印加した場合の応答電流Ｉ３と、酵素固定化電極にパルス電圧を繰り返し印加した場合の応答電流Ｉ４と、を示したグラフである。
【発明を実施するための形態】
【００１６】
以下、本発明に係る基質連続測定方法について、体液中のグルコース濃度を測定する場合を例にとって、図面を参照しつつ説明する。
【００１７】
図１に示したグルコース連続測定装置１は、血液や間質液中のグルコース濃度を連続的に測定可能なものであり、人体の腹部や肩の皮膚に装着して使用するものである。このグルコース連続測定装置１は、筐体２、回路基板３およびグルコースセンサ４を備えている。
【００１８】
筐体２は、グルコース連続測定装置１の外形をなすものであり、カバー２０および基板２１を含んでいる。カバー２０および基板２１は、これらによって規定される空間に回路基板３を収容するものであり、相互に固定されている。筐体２は、防水性あるいは耐水性を有しているのが好ましい。このような筐体２は、たとえば少なくともカバー２０（必要に応じて基板２１）を金属やポリプロピレン樹脂などの透水性の極めて低い材料により形成される。
【００１９】
基板２１は、グルコースセンサ４が挿通される部分であり、グルコースセンサ４の端部４０を固定している。基板２１には、接着フィルム５が固定されている。この接着フィルム５は、グルコース連続測定装置１を皮膚に固定するときに利用されるものである。接着フィルム５としては、両面に粘着性を有するテープを使用することができる。
【００２０】
回路基板３は、グルコース連続測定装置１の所定の動作（たとえば電圧の印加、グルコース濃度の演算あるいは外部との通信）に必要な電子部品を搭載したものである。この回路基板３はさらに、後述するグルコースセンサ４の電極４２（図２参照）に接触させるための端子３０を備えている。この端子３０は、グルコースセンサ４に電圧を印加し、グルコースセンサ４から応答電流値を得るために利用されるものである。
【００２１】
グルコースセンサ４は、血液や間質液中のグルコース濃度に応じた応答を得るためのものである。このグルコースセンサ４は、端部４０が皮膚６から突出して回路基板３の端子
３０に接触しているとともに、その他の大部分が皮膚６に挿入されている。
【００２２】
図２に示したように、グルコースセンサ４は、基板４１、電極４２および固定化酵素部４３を有している。
【００２３】
基板４１は、電極４２を支持するためのものであり、絶縁性および可撓性を有するシート状に形成されている。基板４１は、端部４１Ａが筐体２の内部に存在している一方で、端部４１Ｂが鋭利なものとして形成されている。端部１０Ｂを鋭利な構造とすれば、皮膚６へのグルコースセンサ４の挿入を容易に行なうことができるようになり、使用者の痛みを低減することができる。
【００２４】
基板４０のための材料としては、人体への害がなく、適切な絶縁性を有するものであればよく、たとえばＰＥＴ、ＰＰ、ＰＥなどの熱可塑性樹脂、あるいはポリイミド樹脂やエポキシ樹脂などの熱硬化性樹脂を使用することができる。
【００２５】
電極４２は、固定化酵素部４３に電圧を印加し、固定化酵素部４３から電子を取り出すために利用されるものである。電極４２は、作用極４２Ａおよび対極４２Ｂを含んでいる。作用極４２Ａは、グルコースと電子授受を行う部分である。対極４２Ｂは、作用極４２Ａとともに電圧印加に利用されるものである。電極４２は、カーボンインクを用いたスクリーン印刷により形成することができる。
【００２６】
固定化酵素４３は、グルコースと作用極４２Ａとの間の電子授受を媒体するものである。この固定化酵素部４３は、作用極４２Ａの端部４２Ａａにおいて、グルコース酸化還元酵素を固定化することにより形成されている。
【００２７】
グルコース酸化還元酵素としては、グルコースオキシダーゼ（ＧＯＤ）およびグルコースデヒドロゲナーゼ（ＧＤＨ）を使用することができる。グルコース酸化還元酵素の固定化方法としては、公知の種々の方法、たとえば重合性ゲル、ポリアクリルアミドやリンなどの高分子、リン脂質ポリマーにシランカップリング剤を導入したＭＰＣ重合体あるいはタンパク質膜を利用する方法を採用することができる。
【００２８】
図３に示したように、グルコース連続測定装置１は、回路基板３およびグルコースセンサ４の他に、通信部１０、電源１１、制御部１２、演算部１３、および記憶部１４をさらに備えている。
【００２９】
通信部１０は、グルコース連続測定装置１と外部の情報処理端末との間でデータ通信を行なうためのものである。この通信部１０は、少なくとも送信部を有しており、必要に応じて受信部を含んでいる。
【００３０】
データ通信は、たとえば無線通信手段（赤外線を使ったＩｒＤＡあるいは２．４ＧＨｚの周波数帯を使ったブルートゥース）を利用することができる。もちろん、グルコース連続測定装置１の通信部１０と外部の情報処理端末の通信部とをケーブルなどを用いて有線でデータ通信を行なうようにしてもよい。
【００３１】
外部の情報処理端末としては、たとえば人体にインスリンを投与するためのインスリン送出装置、簡易型血糖値測定装置、腕時計型表示機、あるいはパーソナルコンピュータを挙げることができる。
【００３２】
グルコース連続測定装置１とインスリン送出装置とのデータ通信は、たとえばグルコース連続測定装置１でのグルコース濃度の測定結果を、インスリン送出装置に送信すること
により行なわれる。これにより、グルコース連続測定装置１からの測定データに基づいて、人体に投与すべきインスリン量をコントロールすることができる。
【００３３】
グルコース連続測定装置１と簡易型血糖値測定装置とのデータ通信は、たとえば簡易血糖値測定装置での血糖値測定結果を、グルコース連続測定装置１に送信することにより行なわれる。これにより、グルコース連続測定装置１の測定結果と簡易血糖値測定装置での測定結果とを比較して、これらの測定結果が一定値以上乖離している場合には、グルコース連続測定装置１の校正を行なうことができる。また、簡易型血糖値測定装置に対しては、グルコース連続測定装置１において測定された生データ（応答電流）を送信するようにしてもよい。
【００３４】
グルコース連続測定装置１と腕時計型表示機とのデータ通信は、たとえばグルコース連続測定装置１の血糖値測定結果を腕時計型表示機に送信することにより行なわれる。これにより、グルコース連続測定装置１が肩などのように使用者が視認しにくい位置に装着されていたとしても、グルコース連続測定装置１での測定結果を腕時計型表示機において表示させ、使用者に把握させることができる。
【００３５】
グルコース連続測定装置１とパーソナルコンピュータとのデータ通信は、たとえばグルコース連続測定装置１の血糖値測定結果や生データ（応答電流）をパーソナルコンピュータに送信することにより行なわれる。これにより、パーソナルコンピュータにおいて、グルコース濃度の変遷をモニタすることができる。また、グルコース連続測定装置１に対しては、パーソナルコンピュータから校正用のデータを送信するようにしてもよい。
【００３６】
電源１１は、回路基板３やグルコースセンサ４へ電力を供給するための直流電源である。電源１１としては、たとえば電源電圧が１〜３Ｖであるボタン電池が使用される。
【００３７】
制御部１２は、各種の動作、たとえば電圧印加のタイミング、印加電圧値、応答電流のサンプリング、グルコース濃度の演算、あるいは外部の情報処理端末との通信を制御するものである。
【００３８】
演算部１３は、各種の演算、たとえばグルコース濃度の演算の他、グルコース連続測定装置１の動作に必要な演算を行うものである。
【００３９】
記憶部１４は、各種の演算に必要なプログラムおよびデータ（たとえば検量線に関するデータ、補正データあるいは電圧印加パターンに関するデータ）を記憶したものである。この記憶部１４はさらに、グルコースセンサ４からの応答電流値や演算されたグルコース濃度を記憶できるものであってもよい。
【００４０】
制御部１２、演算部１３および記憶部１４は、回路基板３に搭載された電子部品、たとえばＣＰＵ（あるいはＭＰＵ）、ＲＯＭおよびＲＡＭにより実現される。
【００４１】
ここで、グルコース連続測定装置１におけるグルコースセンサ４への電圧印加は、たとえば図４に示したパターンのようにして行なわれる。図示した例は、一定時間Ｔ２の非反応電圧Ｅ１を印加する状態と、一定時間Ｔ１の反応電圧Ｅ２を印加する状態の組み合わせを１ステップ（１パルス）として、このステップを繰り返し行ない、複数ステップ後に待機時間Ｔ３を設定したものである。また、図５として、図４に示した電圧印加パターンのときの応答電流の例を示した。
【００４２】
非反応電圧Ｅ１は、グルコースが全く反応しないか、グルコースが反応してごくわずかで実質的にグルコースが反応しない電圧である（図６参照）。すなわち、非反応電圧Ｅ１
をグルコースセンサ４に印加したときの応答電流は、グルコースに起因する応答量が極めて少なく、主としてセンサに固有のバックグランド（感度）、共存物質に起因するバックグランドおよび電磁ノイズなどの外部環境に起因するバックグランドによるものである。
【００４３】
この非反応電圧Ｅ１の大きさは、グルコースセンサ４の仕様（たとえば使用する酵素の量や固定化方法、あるいは電極の構成材料や反応面積）に応じて設定される。具体的には、非反応電圧Ｅ１は、グルコースセンサ４に印加する電圧を大きくしていったときに、グルコースに起因する応答電流が流れ始める電圧（反応電位）もしくは反応電位から±０．５Ｖ（好ましくは±２５ｍＶ）の範囲とされる。図示したグルコースセンサ４では、非反応電圧Ｅ１は、たとえば−１〜１Ｖとされる。また、１ステップにおける非反応電圧Ｅ１の印加時間Ｔ２は、応答電流を一定値に安定化させることができる時間、たとえば０．１〜３００ｓｅｃとされる。
【００４４】
反応電圧Ｅ２は、十分な分解能をもってグルコースが反応する電位である（図６参照）。この反応電圧Ｅ２の大きさは、グルコースセンサ４の仕様（たとえば使用する酵素の量や固定化方法、あるいは電極の構成材料や反応面積）により設定されるが、たとえば−１〜１Ｖとされる。また、１ステップにおける反応電圧Ｅ２の印加時間Ｔ１は、応答電流の急激な変化がなくなる時間、たとえば０．１〜３００μｓｅｃとされる。
【００４５】
非反応電圧Ｅ１および反応電圧Ｅ２は、１ステップにおいて必ずしも図４に示したような定電圧の単一のパルスとしてグルコースセンサ４に印加する必要はなく、たとえば図７（ａ）〜図７（ｄ）に示したように電位の異なる複数の定電圧のパルスが組み合わさった階段状のパルスとしてグルコースセンサ４に印加するようにしてもよい。１ステップにおいて非反応電圧Ｅ１および反応電圧Ｅ２を階段状のパルスとして印加する場合、図７（ａ）〜図７（ｄ）では３つの定電圧を含んでいるが、定電圧の数は２つであっても４つ以上であってもよい。
【００４６】
待機時間Ｔ３は、グルコースセンサ４に印加する電圧が、絶対値において非反応電圧Ｅ１よりもさらに小さな待機電圧Ｅ３を印加する状態である。この待機時間Ｔ３は、グルコースセンサ４に不必要に大きな電圧が印加されるのを回避するためものであり、たとえば０．１〜３００ｓｅｃに設定される。待機時間Ｔ３における印加電圧（待機電圧）Ｅ３は、絶対値において０Ｖ以上非反応電圧Ｅ１未満に設定される。ここで、待機電圧Ｅ３を０Ｖに設定する方法としては、回路基板３には駆動電圧を印加しつつもグルコースセンサ４に印加する電圧を０Ｖとする方法の他、主電源をオフにする方法がある。もちろん、待機時間Ｔ３は、必ずしも必要なものではなく、また待機時間Ｔ３は、非反応電圧Ｅ１と反応電圧Ｅ２とを含む１ないし複数ステップ（たとえば２〜１５００ステップ）の後で任意に設ければよい。
【００４７】
以上のような印加電圧パターンでは、グルコース濃度の演算時において、反応電圧Ｅ２において応答電流Ｉ２（ｎ）をサンプリングする一方で、応答電流をサンプリングしたのと同ステップでの非反応電圧印加時の応答電流Ｉ１（ｎ）をサンプリングする。それぞれの電圧Ｅ１，Ｅ２を印加したときの電流値のサンプリングタイミングＴ１’，Ｔ２’は、応答電流値の変動が小さく比較的に応答電流が安定した状態のときに行なわれる。
【００４８】
ただし、応答電流のサンプリングに代えて、たとえばインピーダンス、エネルギ、あるいは電量を応答として取得してもよい。
【００４９】
一方、演算部１３においては、非反応電圧Ｅ１の印加時にサンプリングされた応答電流を考慮してグルコース濃度の演算が行なわれる。典型的には、グルコース濃度は、反応電圧Ｅ２における応答電流Ｉ２（ｎ）から非反応電圧Ｅ１における応答電流Ｉ１（ｎ）を差
分した応答電流値（Ｉ２（ｎ）−Ｉ１（ｎ））から演算される。
【００５０】
グルコース濃度の演算は、複数のステップからなる１サイクルにおいて１回行うようにしてもよいし、複数のサイクルから選択される１つのサイクルにおいて行なってもよい。また、１サイクル中において、各ステップごとにグルコース濃度を演算し、それらの演算結果の平均値をそのステップのグルコース濃度として決定してもよい。
【００５１】
また、反応電圧Ｅ２における応答電流Ｉ２（ｎ）、非反応電圧Ｅ１における応答電流Ｉ１（ｎ）、あるいはこれらの応答電流値の差分値（Ｉ２（ｎ）−Ｉ１（ｎ））に関して、測定値の閾値、あるいは前回測定時との差分に関する閾値を設定し、グルコース濃度の演算前に閾値との比較を行なうようにしてもよい。これにより、それぞれのパラメータを演算に使用するのに適切な値であるかを判断し、グルコース濃度の演算（グルコースの測定）を行うか否かを判定することが可能になる。その結果、グルコース連続測定装置１では、より精度の高いグルコースの定量が可能となる。
【００５２】
演算されたグルコース濃度は、主としてインスリンの投与量を決定するために使用され、必要に応じてグルコース連続測定装置１の校正のために使用される。校正用のグルコース濃度の演算は、複数のサイクルのそれぞれから任意に選択されるステップ毎に算出したグルコース濃度の平均値を採用するのが好ましい。
【００５３】
上述のように、非反応電圧Ｅ１に対する応答電流は、グルコース反応とは全くまたは実質的に関係のないものであり、主としてバックグランド成分に起因するものである。そのため、非反応電圧Ｅ１に対応する応答電流を考慮すれば、バックグランド成分の影響を極力除外してグルコース濃度の演算が可能となるため測定精度を向上させることができる。
【００５４】
また、電圧印加パターンとして、非反応電圧Ｅ１と反応電圧Ｅ２とをグルコースセンサ４に繰り返し印加するパターンでは、継続的に定電圧を印加する場合に比べて、単位時間当たりにグルコースセンサ４に印加される電圧（エネルギ）が小さくなる。そのため、グルコース酸化還元酵素の変性などによる劣化を抑制することができるため、長期間にわたってグルコースセンサ４の感度を安定化させ、グルコースセンサ４の寿命を長くすることができる。その結果、グルコースセンサ４の取替え頻度やグルコース連続測定装置１の校正頻度を減らすことができるようになり、使用者の操作負担および経済的負担が軽減される。さらに、グルコースセンサ４に印加される電圧（エネルギ）が小さくできれば、グルコースを連続測定する場合における消費電力を小さくすることが可能となるため、電池寿命を延ばすことができる。その結果、電池としてボタン電池のような使い捨て電池を使用する場合において、使用者のへの経済的負担を軽減することができる。特に、待機期間Ｔ３を設け、待機時間Ｔ３のときに電源をオフするようにすれば、確実に電池寿命を延ばすことができる。
【００５５】
以上に説明したグルコース連続測定装置１では、グルコース濃度の演算機能がグルコース連続測定装置１に組み込まれていたが、グルコース連続測定装置１において応答電流値などの応答値を測定する一方で、グルコース濃度の演算を外部の情報処理端末に行なわせるようにしてもよい。
【００５６】
また、上述の実施の形態では、非反応電圧Ｅ１による電圧の印加の後に反応電圧Ｅ２による電圧の印加を行なう場合を１サイクル（１パルス）として定義しているが、反応電圧Ｅ２による電圧の印加の後に非反応電圧Ｅ１による電圧の印加を行なう場合を１サイクル（１パルス）として定義してもよい。
【００５７】
本発明は人体の体液中のグルコース濃度を測定する場合に限らず、グルコース以外の基
質、あるいは体液以外の基質含有液を用いる場合にも適用することができる。
【００５８】
次に、本発明の効果について実施例として検討する。
【００５９】
［実施例１］
本実施例では、酵素固定化電極にパルス電圧を繰り返し印加したときの応答特性について検討した。
【００６０】
（酵素固定化電極の作製）
酵素固定化電極は、カーボン電極の表面に、リン脂質ポリマーを介してＧＤＨを固定化することにより作製した。カーボン電極の作製に当たっては、まず１２０ｍｇのケッチェンブラック（ライオン（株）製）を十分に混合した粉末に流動パラフィンを１００μＬ添加してよく混合して材料ペーストを形成した。材料ペーストは、面積３φのペースト電極作製用ベース電極（ビー・エー・エス社製）に詰め込み、ジュランコンロッドにて圧縮することでカーボン電極とした。リン脂質ポリマーとしては、シランカップリング剤としてのテトラエトキシシランを導入したＭＰＣ重合体（商品名「リピジュア」；日油社製）を使用した。酵素は、リン脂質修飾カーボン電極を１２５０Ｕ／ｍＬのＧＤＨ溶液に浸漬することにより固定化した。
【００６１】
（印加電圧の設定）
印加電圧は、先に作製した酵素固定化電極を用いて、グルコース応答の電圧依存性をボルタンメトリーにより測定した結果に基づいて決定した。
【００６２】
ボルタンメトリーにおいて、グルコース濃度は６００ｍｇ／ｄＬに設定した。
【００６３】
ボルタンメトリーにおける電極系は、作用極として先に作製した酵素固定化電極、対極として白金電極、および参照極として銀／塩化銀電極を使用した。
【００６４】
ボルタンメトリーにおける掃引は、０Ｖ〜０．６Ｖの範囲において、掃引速度を０．１Ｖ／ｓｅｃとし、正方向および負方向のそれぞれについて行なった。ボルタンメトリーの測定結果については図８に示した。
【００６５】
図８から分かるように、印加電圧が７５ｍＶ付近からグルコースに応答する酸化電流が検出されることがわかる。この結果から、グルコース反応しないか実質的に反応しない非応答電圧Ｅ１については、以下の検討において余裕を見て１００ｍＶの定電圧に設定した。一方、グルコース応答を示す反応電圧Ｅ２については、非応答電圧Ｅ１との電位差を６００ｍＶに設定することとして、７００ｍＶの定電圧に設定した。
【００６６】
（印加電圧パターン）
非応答電圧Ｅ１および応答電圧Ｅ２の印加時間Ｔ１，Ｔ２については１０秒に設定した。
【００６７】
待機時間Ｔ３は、４０秒とした。ただし、待機時間Ｔ３は、４ステップ（４パルス）毎に酵素固定化電極を含む電極系が開回路（０Ｖ）となるように設定した。
【００６８】
（グルコースの応答特性の測定）
応答特性は、水とともに攪拌子を収容した容器に、酵素固定化電極（作用極）、白金電極（対極）、および銀／塩化銀電極（参照極）を浸漬した状態において、スターラによって攪拌子を回転させつつ、特定のタイミングでグルコースを添加することにより行なった。
【００６９】
グルコースの添加は、４ステップ（４パルス）を１サイクルとし、４サイクル目の待機時間Ｔ３に行なった。グルコースの添加は３回行い、グルコース濃度を０ｍｇ/ｄＬ→５
０ｍｇ/ｄＬ→１００ｍｇ/ｄＬ→６００ｍｇ/ｄＬと順次変化させた。
【００７０】
応答電流は、非反応電圧Ｅ１および反応電圧Ｅ２をそれぞれ０ｍＶおよび６００ｍＶの定電圧に設定して測定した。応答電流の測定結果については、図９（ａ）に示した。参考として、非反応電圧Ｅ１および反応電圧Ｅ２をそれぞれ１００ｍＶおよび７００ｍＶに設定して応答電流を測定した場合について図９（ｂ）に示した。
【００７１】
また、非応答電圧Ｅ１および応答電圧Ｅ２の印加における１０秒後の電流値Ｉ１，Ｉ２をそれぞれサンプリングし、両者の差分値とグルコース濃度の関係を図１０に示した。図１０においては、応答電流の差分値は、酵素固定化電極の面積で割った値（電流密度）として示した。
【００７２】
図９（ａ）および図９（ｂ）から分かるように、グルコースの添加により電流値が増加していることが確認された。すなわち、応答電圧Ｅ２では、グルコースが反応し、それによって応答電流が生じていることが確認できた。
【００７３】
また、応答電圧Ｅ２から非応答電圧Ｅ１に印加電圧を下げたとき、非応答電圧Ｅ１を１００ｍＶに設定した場合には、非応答電圧Ｅ１を０ｍＶに設定した場合に比べて、応答電流の変動量（バックグランド）が著しく小さくなっている。
【００７４】
一方、図１０に示したように、非応答電圧Ｅ１を１００ｍＶに設定した場合には、非応答電圧Ｅ１を０ｍＶに設定した場合に比べて、応答電圧Ｅ２の印加時の応答電流Ｉ２と非応答電圧Ｅ１の印加時の応答電流Ｉ１との差分（Ｉ２−Ｉ１）がグルコース濃度に関係なく小さくなっている。この点からも、非応答電圧Ｅ１を１００ｍＶに設定した場合、すなわち非応答電圧Ｅ１を０Ｖよりも大きく設定した場合には、バックグランドによる影響が小さく、応答感度も高いことがわかった。
【００７５】
［実施例２］
本実施例では、酵素固定化電極にパルス電圧を繰り返し印加したときの酵素固定化電極の安定性について評価した。
【００７６】
（酵素固定化電極の作製）
酵素固定化電極は、カーボン電極の表面に、リン脂質ポリマーを介してＧＤＨを固定化することにより作製した。カーボン電極は、ポリイミド基材の表面に形成した。電極材料としては、ケッチェンブラック（ライオン（株）製）４０ｗｔ％、バインダーとしてのポリエステル樹脂４０％ｗｔ、および溶剤としてのイソホロン２０ｗｔ％を混合した印刷用インクを用いた。印刷用インクは、ポリイミド基材の表面へ、厚みが１０μｍになるように印刷し、１５０℃の環境下で３０分間乾燥させて電極とした。リン脂質ポリマーとしては、シランカップリング剤としてのテトラエトキシシランを導入したＭＰＣ重合体（商品名「リピジュア」；日油社製）を使用した。酵素は、リン脂質修飾カーボン電極を１２５０Ｕ／ｍＬのＧＤＨ溶液に浸漬することにより固定化した。
【００７７】
（安定性の評価）
安定性は、６００ｍｇ／ｄＬのグルコース溶液を用いて応答電流を連続して測定した後の酵素固定化電極の感度として評価した。
【００７８】
電極系および印加電圧パターンは、実施例１と同様にした。ただし、非応答電圧Ｅ１お
よび応答電圧Ｅ２はそれぞれ１００ｍＶおよび７００ｍＶとした。
【００７９】
電圧印加時間は合計１８時間とし、固定化電極の感度は応答電流として６時間ごとに測定した。比較として、６００ｍＶの定電圧を連続して印加した場合の感度を評価した。これらの測定方法における感度については、初期感度（０時間応答電流）に対する応答電流の相対値として図１１に示した。
【００８０】
図１１から分かるように、比較例としての定電圧を連続的に印加する方法では、経時的に応答電流が下がり酵素電極の劣化が確認された。これに対して、パルス電圧を繰り返し印加する方法では、経時的な応答電流の減少は確認されず、酵素固定化電極の安定性が良好であることが確認された。これに関して、電圧の印加に対してＧＤＨは変性し劣化するが、定電圧を連続的に印加する方法と比べて、パルス電圧を繰り返し印加する方法は、同じ測定時間において全体的に応答電圧を印加する時間は短い。従って、応答電圧を印加する時間が短い分、ＧＤＨの劣化は抑制され、ＧＤＨの安定性が保たれると考えられる。
【００８１】
［実施例３］
実施例３では、段階状のパルス電圧の性能評価について検討した。酵素固定化電極の作製及び電極系は、実施例１と同様である。図１４は、図７（ａ）に示す階段状のパルス電圧を、酵素固定化電極に繰り返し印加した場合についての電流密度の変化を示すグラフである。応答電流値を酵素固定化電極の面積で割って算出した値を、電流密度としている。図１４では、階段状のパルス電圧を点線で示しており、電流密度を実線で示している。非応答電圧Ｅ１を印加する状態と、応答電圧Ｅ２を印加する状態と、中間電圧を印加する状態との組み合わせを１パルスとしている。印加電圧については、非応答電圧Ｅ１を３００ｍＶの定電圧に設定し、応答電圧Ｅ２を６００ｍＶの定電圧に設定し、中間電圧を４５０ｍＶの定電圧に設定している。
【００８２】
図１５は、電流密度と、グルコース濃度との関係を示すグラフである。非応答電圧Ｅ１を印加した後の応答電流Ｉ１と、応答電圧Ｅ２を印加した後の応答電流Ｉ２とを、それぞれサンプリングし、応答電流Ｉ１と応答電流Ｉ２との差分値を算出する。応答電流の差分値を酵素固定化電極の面積で割って算出した値を、電流密度としている。
【００８３】
図１５では、非応答電圧Ｅ１を印加する状態と、応答電圧Ｅ２を印加する状態と、中間電圧を印加する状態との組み合わせを１パルスとしているパルス電圧を、階段状のパルス電圧として示している。印加電圧については、非応答電圧Ｅ１を３００ｍＶの定電圧に設定し、応答電圧Ｅ２を６００ｍＶの定電圧に設定し、中間電圧を４５０ｍＶの定電圧に設定している。また、図１５では、非応答電圧Ｅ１を印加する状態と、応答電圧Ｅ２を印加する状態と、の組み合わせを１パルスとしているパルス電圧を、通常のパルス電圧として示している。印加電圧については、非応答電圧Ｅ１を３００ｍＶの定電圧に設定し、応答電圧Ｅ２を６００ｍＶの定電圧に設定している。
【００８４】
図１５に示すように、階段状のパルス電圧及び通常のパルス電圧のいずれにおいても、グルコース濃度が増加するとともに、電流密度が上昇している。このように、階段状のパルス電圧は、通常のパルス電圧と比較して、性能に殆ど差がないことが確認された。
【００８５】
［実施例４］
実施例４では、グルコース酸化還元酵素としてＧＯＤを用いた場合において、酵素固定化電極にパルス電圧を繰り返し印加したときの応答特性について検討した。
【００８６】
（酵素固定化電極の作製）
ポリイミド基材の表面に、スパッタリング法で膜厚３０ｎｍの白金を堆積することによ
り、ポリイミド基板の表面に導電性層を形成する。そして、導電性層をＧＯＤ溶液（１ｍｇ／ｍＬのＧＯＤ水溶液）に浸漬して、導電性層上にＧＯＤ層を形成することにより、酵素固定化電極を作製した。ＧＯＤ溶液におけるＧＯＤの濃度は、活性基準において１１００Ｕ／ｍＬである。
【００８７】
（グルコースの応答特性の測定）
グルコースの応答特性の測定は、リン酸緩衝液（１００ｍＭ、ｐＨ＝７．０）及び攪拌子を収容した容器に、酵素固定化電極（作用極）、白金電極（対極）、及び銀／塩化銀電極（参照極）を浸漬した状態において、スターラによって攪拌子を回転させつつ、グルコースを添加することにより行なった。グルコースの添加を１回行うことにより、グルコース濃度を０ｍｇ／ｄＬから６００ｍｇ／ｄＬに変化させた。
【００８８】
図１６は、酵素固定化電極にパルス電圧を繰り返し印加した場合における応答電流の測定結果を示すグラフである。印加電圧については、非応答電圧Ｅ１を３００ｍＶの定電圧に設定し、応答電圧Ｅ２を６００ｍＶの定電圧に設定している。印加電圧パターンについては、非応答電圧Ｅ１の印加時間Ｔ２を３０秒に設定し、応答電圧Ｅ２の印加時間Ｔ１を３０秒に設定している。待機時間Ｔ３を０秒に設定している。図１６に示すように、酵素固定化電極にパルス電圧を繰り返し印加する場合において、応答電流は、ほぼ一定の値を保っていることが確認された。
【００８９】
比較として、酵素固定化電極に６００ｍＶの定電圧を連続して印加した場合における応答電流の測定結果を、図１７に示す。図１７に示すように、酵素固定化電極に定電圧を連続して印加する場合において、時間の経過とともに、応答電流が増加することが確認された。ＧＯＤは、Ｋｍ値は高く反応速度は遅い。そのため、定電圧を連続的に印加する場合、電極表面上に、ＧＯＤと未反応のグルコースが経時的に蓄積される。この状態において引き続き定電圧を連続的に印加した場合、電極表面上に蓄積されたグルコースが遅れてＧＯＤと反応するために、応答電流が時間の経過とともに上昇すると考えられる。これに対して、ＧＯＤを用いた酵素固定化電極にパルス電圧を繰り返し印加する場合、パルス電圧を印加した時の応答電流を測定するため、応答電流は、ほぼ一定の値となる。パルス法においては、個々のパルスの応答電圧は、それぞれ独立して所定の印加時間のみが印加されている。従って、所定の印加時間内でのＧＯＤとグルコースとが反応した分の応答電流しか現れない。電極表面上に蓄積されたグルコースがＧＯＤと遅れて反応する時間まで、応答電圧を印加していないため、応答電流は、ほぼ一定の値となると考えられる。なお、ＧＤＨは、Ｋｍ値は低く反応速度は速い。そのため、ＧＤＨを用いた酵素固定化電極に定電圧を連続して印加しても、応答電流は上昇しない。電圧の印加でＧＤＨが変性し劣化することにより、応答電流は定電圧の連続印加時間に応じて減少する。
【００９０】
また、実施例４では、グルコース酸化還元酵素としてＧＯＤを用いた場合において、酵素固定化電極にパルス電圧を繰り返し印加したときの酵素固定化電極の安定性について評価した。安定性は、６００ｍｇ／ｄＬのグルコース溶液を用いて応答電流を連続して測定した後の酵素固定化電極の感度として評価した。印加電圧の設定及び印加電圧パターンについては、グルコースの応答特性の測定と同様である。
【００９１】
電圧印加時間を１０５分に設定し、酵素固定化電極の感度を応答電流として１５分ごとに測定した。比較として、酵素固定化電極に６００ｍＶの定電圧を連続して印加した場合の感度を評価した。これらの測定方法における感度について、初期感度（０時間応答電流）に対する応答電流の相対値（％）として図１８に示した。
【００９２】
図１８に示すように、比較例としての定電圧を連続的に印加する方法では、時間の経過とともに応答電流が上昇した。ＧＯＤは、Ｋｍ値は高く反応速度は遅い。そのため、定電
圧を連続的に印加する場合、電極表面上に、ＧＯＤと未反応のグルコースが経時的に蓄積される。この状態において引き続き定電圧を連続的に印加した場合、電極表面上に蓄積されたグルコースが遅れてＧＯＤと反応するために、応答電流が時間の経過とともに上昇すると考えられる。これに対して、パルス電圧を繰り返し印加する方法では、時間が経過しても応答電流の上昇は認められず、酵素固定化電極の安定性が良好であることが分かった。パルス法においては、個々のパルスの応答電圧は、それぞれ独立して所定の印加時間のみが印加されている。従って、所定の印加時間内でのＧＯＤとグルコースとが反応した分の応答電流しか現れない。電極表面上に蓄積されたグルコースがＧＯＤと遅れて反応する時間まで、応答電圧を印加していないため、応答電流は、ほぼ一定の値となると考えられる。
【００９３】
［実施例５］
実施例５では、酵素固定化電極に定電圧を連続して印加した場合におけるグルコース濃度の依存性と、酵素固定化電極にパルス電圧を繰り返し印加した場合におけるグルコース濃度の依存性と、について検討した。すなわち、酵素固定化電極に定電圧を連続して印加した場合において、グルコース濃度を変化させたときの応答電流を測定した。また、酵素固定化電極にパルス電圧を繰り返し印加した場合において、グルコース濃度を変化させたときの応答電流を測定した。応答電流の測定は、リン酸緩衝液（１００ｍＭ、ｐＨ＝７．０）とともに攪拌子を収容した容器に、酵素固定化電極（作用極）、白金電極（対極）、および銀／塩化銀電極（参照極）を浸漬した状態において、スターラによって攪拌子を回転させつつ、特定のタイミングでグルコースを添加することにより行なった。
【００９４】
（酵素固定化電極の作製）
ポリイミド基材の表面に、スパッタリング法で膜厚３０ｎｍの白金を堆積することにより、ポリイミド基板の表面に導電性層を形成する。そして、導電性層をＧＯＤ溶液（１ｍｇ／ｍＬのＧＯＤ水溶液）に浸漬して、導電性層上にＧＯＤ層を形成することにより、酵素固定化電極を作製した。ＧＯＤ溶液におけるＧＯＤの濃度は、活性基準において１１００Ｕ／ｍＬとした。
【００９５】
図１９は、酵素固定化電極に定電圧を連続して印加した場合において、グルコース濃度を増加したときの応答電流の変化を示すグラフである。グルコースの添加は２回行い、グルコース濃度を０ｍｇ/ｄＬ→１００ｍｇ/ｄＬ→６００ｍｇ/ｄＬと順次変化させた。応
答電流は、酵素固定化電極に６００ｍＶの定電圧を連続して印加して測定した。
【００９６】
図２０は、酵素固定化電極にパルス電圧を繰り返し印加した場合において、グルコース濃度を増加したときの応答電流の変化を示すグラフである。パルス電圧を２回印加した後にグルコースを１回添加し、更にパルス電圧を２回印加した後にグルコースを１回添加し、更にパルス電圧を５回印加した。グルコースを２回添加することにより、グルコース濃度を０ｍｇ/ｄＬ→１００ｍｇ/ｄＬ→６００ｍｇ/ｄＬと順次変化させた。応答電流は、
非応答電圧Ｅ１を３００ｍＶの定電圧に設定し、応答電圧Ｅ２を６００ｍＶの定電圧に設定して測定した。また、非応答電圧Ｅ１の印加時間Ｔ１を３０秒に設定し、応答電圧Ｅ２の印加時間を３０秒に設定している。
【００９７】
図２１は、酵素固定化電極に定電圧を連続して印加した場合の応答電流Ｉ３と、酵素固定化電極にパルス電圧を繰り返し印加した場合の応答電流Ｉ４と、を示したグラフである。図２１に示すように、グルコース濃度が増加するにつれて、応答電流Ｉ３及び応答電流Ｉ４が上昇している。このように、グルコース酸化還元酵素としてＧＯＤを用いた場合においても、グルコース濃度が増加することで、応答電流が上昇することが確認された。
【符号の説明】
【００９８】
１  グルコース連続測定装置
４  グルコースセンサ
Ｅ１  非反応電圧（非応答電圧）
Ｅ２  反応電圧（応答電圧）
Ｅ３  待機電圧
【図１】
0005711141.tif 000002
【図２】
0005711141.tif 000003
【図３】
0005711141.tif 000004
【図４】
0005711141.tif 000005
【図５】
0005711141.tif 000006
【図６】
0005711141.tif 000007
【図７】
0005711141.tif 000008
【図８】
0005711141.tif 000009
【図９】
0005711141.tif 000010
【図１０】
0005711141.tif 000011
【図１１】
0005711141.tif 000012
【図１２】
0005711141.tif 000013
【図１３】
0005711141.tif 000014
【図１４】
0005711141.tif 000015
【図１５】
0005711141.tif 000016
【図１６】
0005711141.tif 000017
【図１７】
0005711141.tif 000018
【図１８】
0005711141.tif 000019
【図１９】
0005711141.tif 000020
【図２０】
0005711141.tif 000021
【図２１】
0005711141.tif 000022